(57)【要約】      （修正有）【課題】光通信モジュールに係り、実装上の制約を受けることなく、簡単な構造で、外線コネクタを離脱した際のレーザ光の遮光を図った光通信モジュールを提供する。【解決手段】外線コネクタとフィジカルコンタクトするフェルールをスリーブ４３を介して内部に装着した光通信モジュール５７に於て、前記フェルールを、外線コネクタにフィジカルコンタクトする第１の分割フェルール４５と、当該第１の分割フェルール４５と別体に形成されてこれと軸心を一致させて当接する第２の分割フェルール４７とで構成すると共に、第１の分割フェルール４５とこれを保持するスリーブ４３を、外線コネクタの挿脱に連動して移動可能とし、外線コネクタの離脱時に、第１の分割フェルール４５と第２の分割フェルール４７との間に間隙５５を生じさせ、遮光状態とする。【選択図】図２
2011237565.tif 000002
【特許請求の範囲】
【請求項１】
外線コネクタとフィジカルコンタクトするフェルールをスリーブを介して内部に装着した光通信モジュールに於て、
前記フェルールを、外線コネクタにフィジカルコンタクトする第１の分割フェルールと、当該第１の分割フェルールと別体に形成されてこれと軸心を一致させて当接する第２の分割フェルールとで構成すると共に、
第１の分割フェルールとこれを保持するスリーブを、外線コネクタの挿脱に連動して移動可能とし、
外線コネクタの離脱時に、第１の分割フェルールと第２の分割フェルールとの間に間隙を生じさせることを特徴とする光通信モジュール。
【請求項２】
前記スリーブを、第１の分割フェルールを保持する第１の分割スリーブと、第１、第２の両分割フェルールを保持する第２の分割スリーブとで構成したことを特徴とする請求項１に記載の光通信モジュール。
【請求項３】
前記第１の分割フェルールを、第２の分割フェルールよりも大径としたことを特徴とする請求項１または請求項２に記載の光通信モジュール。
【請求項４】
前記第１の分割スリーブの引き抜き強度を、第２の分割スリーブよりも強くしたことを特徴とする請求項２に記載の光通信モジュール。
【請求項５】
前記第１の分割フェルールとこれを保持するスリーブを、接着剤で固定したことを特徴とする請求項１または請求項２に記載の光通信モジュール。
【請求項６】
前記第２の分割フェルールとこれを保持するスリーブを、接着剤で固定したことを特徴とする請求項２または請求項３に記載の光通信モジュール。
【請求項７】
前記第１の分割フェルールと、第２の分割フェルールとの間にマッチングオイルを充填したことを特徴とする請求項１乃至請求項６のいずれか１項に記載の光通信モジュール。
【請求項８】
前記第１の分割フェルールと第２の分割フェルールとの間のスリーブに、空気穴を設けたことを特徴とする請求項７に記載の光通信モジュール。
【請求項９】
互いに当接する前記第１の分割フェルールと第２の分割フェルールの端部を、凸状の球面形状としたことを特徴とする請求項７または請求項８に記載の光通信モジュール。
【請求項１０】
互いに当接する前記第１の分割フェルールと第２の分割フェルールの少なくともいずれか一方の端部を、外線コネクタの離脱時に、端部に付着したマッチングオイルを偏心させる偏心形状としたことを特徴とする請求項７または請求項８に記載の光通信モジュール。
【発明の詳細な説明】
【技術分野】
【０００１】
本発明は、光通信等に用いる光通信モジュールに関する。
【背景技術】
【０００２】
従来、光通信システムに於て、例えば電話通信等の光加入者系システムに双方向の光通信モジュールが使用されている。
【０００３】
図１９はこの種の光通信モジュールのレセプタクル構造を示し、この光通信モジュール１は、光ファイバー３と、発光素子（ＬＤ）５を備えたボールレンズ７付きのＬＤ−ＣＡＮ９と、受光素子（ＰＤ）１１を備えたボールレンズ１３付きのＰＤ−ＣＡＮ１５と、金属製のモジュール本体（取付部材）１７に固定された多層膜フィルタ１９等を備え、光ファイバー３は１本のフェルール２１の中心の穴に挿着されている。
【０００４】
そして、モジュール本体１７に、連結部材２３とＺ軸調整パーツ２５を介してレセプタクル筐体（取付部材）２７が取り付けられており、フェルール２１は連結部材２３に保持されると共に、その一端２９側が割りスリーブ３１を介してレセプタクル筐体２７内に遊挿されている。そして、レセプタクル筐体２７先端のコネクタ用開口部３３への外線コネクタの接続時に、外線コネクタのフェルール３５が割りスリーブ３１内に圧入されて、外線コネクタが光通信モジュール１に光学的に接続されるようになっている。
【０００５】
このように、従来、外線コネクタを光通信モジュール１に接続する場合、割りスリーブ３１内にフェルール３５を圧入して、フェルール２１とフィジカルコンタクトをとっている。尚、図中、３７はフェルール３５の中心に挿着された光ファイバーである。
【０００６】
しかし乍ら、前記レセプタクル構造は、外線コネクタをレセプタクル筐体２７から離脱すると、レーザ光がコネクタ用開口部３３から外部に出射されてしまい、レーザ光が人の目に入ってしまうという課題があった。
【０００７】
また、特許文献１には、コネクタ用開口部を塞ぐシャッターとその開閉機構をモジュールケースの外部に装着し、コネクタ用開口部から外線コネクタが離脱すると、開閉機構によってシャッターが自ずから光コネクタ用開口部を閉じる方向に回動して当該コネクタ用開口部を閉じるように構成した光通信モジュールが提案されている。
【先行技術文献】
【特許文献】
【０００８】
【特許文献１】特開２００５−３４５９８５号公報
【発明の概要】
【発明が解決しようとする課題】
【０００９】
しかし乍ら、斯様にシャッターとその開閉機構をモジュールケースの外部に装着すると、光通信モジュール全体の構造が複雑になってしまうと共に、光通信モジュールを装置内部に実装する際に、モジュールケースの外部に突出するシャッターや開閉機構によって実装上の制約を受けてしまう不具合がある。
【００１０】
本発明は斯かる実情に鑑み案出されたもので、実装上の制約を受けることなく、簡単な構造で、外線コネクタを離脱した際のレーザ光の遮光を図った光通信モジュールを提供することを目的とする。
【課題を解決するための手段】
【００１１】
斯かる目的を達成するため、請求項１に係る発明は、外線コネクタとフィジカルコンタクトするフェルールをスリーブを介して内部に装着した光通信モジュールに於て、前記フェルールを、外線コネクタにフィジカルコンタクトする第１の分割フェルールと、当該第１の分割フェルールと別体に形成されてこれと軸心を一致させて当接する第２の分割フェルールとで構成すると共に、第１の分割フェルールとこれを保持するスリーブを、外線コネクタの挿脱に連動して移動可能とし、外線コネクタの離脱時に、第１の分割フェルールと第２の分割フェルールとの間に間隙を生じさせることを特徴とする。
【００１２】
そして、請求項２に係る発明は、請求項１に記載の光通信モジュールに於て、前記スリーブを、第１の分割フェルールを保持する第１の分割スリーブと、第１、第２の両分割フェルールを保持する第２の分割スリーブとで構成したことを特徴とし、請求項３に係る発明は、請求項１または請求項２に記載の光通信モジュールに於て、前記第１の分割フェルールを、第２の分割フェルールよりも大径としたことを特徴とする。
【００１３】
また、請求項４に係る発明は、請求項２に記載の光通信モジュールに於て、前記第１の分割スリーブの引き抜き強度を、第２の分割スリーブよりも強くしたことを特徴とし、請求項５に係る発明は、請求項１または請求項２に記載の光通信モジュールに於て、前記第１の分割フェルールとこれを保持するスリーブを、接着剤で固定したことを特徴とする。
【００１４】
更に、請求項６に係る発明は、請求項２または請求項３に記載の光通信モジュールに於て、前記第２の分割フェルールとこれを保持するスリーブを、接着剤で固定したことを特徴とし、請求項７に係る発明は、請求項１乃至請求項６のいずれか１項に記載の光通信モジュールに於て、前記第１の分割フェルールと、第２の分割フェルールとの間にマッチングオイルを充填したことを特徴とする。
【００１５】
そして、請求項８に係る発明は、請求項７に記載の光通信モジュールに於て、前記第１の分割フェルールと第２の分割フェルールとの間のスリーブに、空気穴を設けたことを特徴とし、請求項９に係る発明は、請求項７または請求項８に記載の光通信モジュールに於て、互いに当接する前記第１の分割フェルールと第２の分割フェルールの端部を、凸状の球面形状としたことを特徴とする。
【００１６】
また、請求項１０に係る発明は、請求項７または請求項８に記載の光通信モジュールに於て、互いに当接する前記第１の分割フェルールと第２の分割フェルールの少なくともいずれか一方の端部を、外線コネクタの離脱時に、端部に付着したマッチングオイルを偏心させる偏心形状としたことを特徴とする。
【発明の効果】
【００１７】
各請求項に係る発明によれば、外線コネクタを離脱した際にレーザ光が分割フェルール間の間隔内で拡散されるため、外部に漏れることなく遮光され、また、仮にレーザ光が外部に漏れても著しく減衰されたものとなるため安全性に優れた利点を有する。而も、従来に比し、実装上の制約を受けることなく組み付けが可能である。
【００１８】
また、請求項２及び請求項３に係る発明によれば、フェルールを外線コネクタにフィジカルコンタクトする第１の分割フェルールとこれと軸心を一致させて当接する第２の分割フェルールとで構成すると共に、第２の分割フェルールを第２の分割フェルールに比し大径として第１の分割スリーブ内に圧入、保持させるという簡単な構造によって、外線コネクタの離脱時に於けるレーザ光の遮光を確実に図ることができる利点を有する。
【００１９】
そして、請求項４に係る発明の如く第１の分割スリーブの引き抜き強度を第２の分割スリーブよりも強くしたり、請求項５に係る発明の如く第１の分割フェルールとこれを保持するスリーブを接着剤で固定し、更に、第２の分割フェルールとこれを保持するスリーブを接着剤で固定することで、分割フェルール間に間隔を確実に生じさせることができる。
【００２０】
一方、請求項７に係る発明の如く第１の分割フェルールと第２の分割フェルールとの間にマッチングオイルを充填すれば、分割フェルール間の間隔と、各分割フェルールの端部に付着したマッチングオイルによってレーザ光が拡散されるため、より確実にレーザ光の遮光が図れる。
【００２１】
そして、請求項８に係る発明の如く分割フェルール間のスリーブに空気穴を設ければ、例えば精密スリーブを用いた際に、外線コネクタの接続時に分割フェルールの端部を確実に接合させることができると共に、外線コネクタの離脱時にマッチングオイルを端部に確実に付着させることができる利点を有する。
【００２２】
更に、請求項９に係る発明の如く第１の分割フェルールと第２の分割フェルールの端部を凸状の球面形状とすることで、両端部を当接させて光ファイバーを軸ズレなく良好に接合させ乍ら、当接した両分割フェルール間に所定量のマッチングオイルを充填することができる。
【００２３】
そして、請求項１０に係る発明の如く、互いに当接する第１の分割フェルールと第２の分割フェルールの少なくともいずれか一方の端部を、端部に付着したマッチングオイルを偏心させる偏心形状とすれば、外線コネクタの離脱時に端部にマッチングオイルが表面張力によってレンズ状に付着せず、この結果、レーザ光が間隔内で集光されることなくその遮光を図ることができる利点を有する。
【図面の簡単な説明】
【００２４】
【図１】請求項１及び請求項３の一実施形態に係る光通信モジュールのレセプタクル構造の断面図である。
【図２】外線コネクタの離脱時に於ける図１の光通信モジュールのレセプタクル構造の断面図である。
【図３】請求項１及び請求項５の一実施形態に係る光通信モジュールのレセプタクル構造の断面図である。
【図４】外線コネクタの離脱時に於ける図３の光通信モジュールのレセプタクル構造の断面図である。
【図５】請求項１乃至請求項３及び請求項６の一実施形態に係る光通信モジュールのレセプタクル構造の断面図である。
【図６】外線コネクタの離脱時に於ける図５の光通信モジュールのレセプタクル構造の断面図である。
【図７】請求項１乃至請求項３、請求項５及び請求項６の一実施形態に係る光通信モジュールのレセプタクル構造の断面図である。
【図８】外線コネクタの離脱時に於ける図７の光通信モジュールのレセプタクル構造の断面図である。
【図９】請求項１、請求項２及び請求項４の一実施形態に係る光通信モジュールのレセプタクル構造の断面図である。
【図１０】外線コネクタの離脱時に於ける図９の光通信モジュールのレセプタクル構造の断面図である。
【図１１】請求項１、請求項３、請求項７及び請求項９の一実施形態に係る光通信モジュールのレセプタクル構造の断面図である。
【図１２】外線コネクタの離脱時に於ける図１１の光通信モジュールのレセプタクル構造の断面図である。
【図１３】第１、第２の分割フェルールの当接状態の拡大断面図である。
【図１４】外線コネクタの離脱時に於ける第１、第２の分割フェルールの離間状態の拡大断面図である。
【図１５】請求項１、請求項３、請求項７乃至請求項９の一実施形態に係る光通信モジュールの第１、第２の分割フェルールの当接状態の拡大断面図である。
【図１６】外線コネクタの離脱時に於ける第１、第２の分割フェルールの離間状態の拡大断面図である。
【図１７】請求項１、請求項３、請求項７及び請求項１０の一実施形態に係る光通信モジュールに用いる分割フェルールの断面図である。
【図１８】図１７に示す分割フェルールの端部の正面図である。
【図１９】従来の光通信モジュールのレセプタクル構造の断面図である。
【発明を実施するための形態】
【００２５】
以下、本発明の実施形態を図面に基づいて説明する。尚、図１９に示す従来例と同一のものには同一符号を付してそれらの説明は省略する。
【００２６】
図１及び図２は請求項１及び請求項３の一実施形態に係る光通信モジュールのレセプタクル構造を示し、図に於て、４１はレセプタクル筐体２７内に割りスリーブ４３を介して組み込まれたフェルールで、当該フェルール４１は、図示しない外線コネクタのフェルールにフィジカルコンタクトする第１の分割フェルール４５と、これと軸心を一致させて当接する第２の分割フェルール４７とで構成されている。
【００２７】
そして、分割フェルール４７は、連結部材２３を介してレセプタクル筐体２７に保持されると共に、その先端４９側が割りスリーブ４３内に常時遊挿されている。尚、両分割フェルール４５、４７の中心には、夫々、光ファイバー３が挿着されている。
【００２８】
一方、第１の分割フェルール４５は割りスリーブ４３内に保持されているが、分割フェルール４５は分割フェルール４７に比し大径とされて、割りスリーブ４３内に圧入、保持された構造となっている。そして、外線コネクタのフェルールは、分割フェルール４５と同一径とされている。
【００２９】
更に、図１に示すようにレセプタクル筐体２７の内周には、割りスリーブ４３の外形形状に沿ってこれを収納する収納部５１がレセプタクル筐体２７の長手方向に形成されており、収納部５１は割りスリーブ４３に比し長尺とされている。
【００３０】
そして、コネクタ用開口部３３への外線コネクタの接続時に、外線コネクタのフェルールが割りスリーブ４３内に圧入されると、図１に示すように、これに連動して割りスリーブ４３とこれに圧入された分割フェルール４５が共に内方（図中、矢印Ａ方向）へ移動して、割りスリーブ４３の端部が連結部材２３に当接すると同時に分割フェルール４５が分割フェルール４７に当接して、両分割フェルール４５、４７の光ファイバー３が軸ズレなく接合すると共に、外線コネクタのフェルールが分割フェルール４５とフィジカルコンタクトするようになっている。
【００３１】
尚、既述したように分割フェルール４７は分割フェルール４５に比し小径とされて、その先端４９側は割りスリーブ４３内に遊挿されているため、割りスリーブ４３が矢印Ａ方向へ移動する際に、分割フェルール４７が支障を来すことがない。
【００３２】
一方、接続した外線コネクタをコネクタ用開口部３３から離脱させると、図２に示すように、外線コネクタのフェルールによって（外線コネクタの引き抜きによって）、割りスリーブ４３と分割フェルール４５が共に外方（図中、矢印Ｂ方向）へ移動し、割りスリーブ４３の端部が収納部５１の壁部５３に当接して割りスリーブ４３と分割フェルール４５の移動が規制されると共に、両分割フェルール４５、４７間にギャップ（間隙）５５が生じるようになっている。
【００３３】
而して、この外線コネクタの離脱時にも、割りスリーブ４３の矢印Ｂ方向への移動に分割フェルール４７が支障を来すことがない。
【００３４】
そして、この状態で再び外線コネクタを接続すれば、既述したようにこれに連動して割りスリーブ４３と分割フェルール４５が共に図１の矢印Ａ方向へ移動して、分割フェルール４５が分割フェルール４７に当接することで両分割フェルール４５、４７の光ファイバー３が軸ズレなく接合する。
【００３５】
本実施形態に係る光通信モジュール５７はこのように構成されているから、外線コネクタの接続時に、コネクタ用開口部３３から割りスリーブ４３内に外線コネクタのフェルールを圧入すると、図１に示すようにこれに連動して割りスリーブ４３と分割フェルール４５が共に矢印Ａ方向へ移動して、割りスリーブ４３の端部が連結部材２３に当接すると同時に、分割フェルール４５が分割フェルール４７に当接して両分割フェルール４５、４７の光ファイバー３が軸ズレなく接合すると共に、外線コネクタのフェルールが分割フェルール４５とフィジカルコンタクトする。
【００３６】
一方、接続された外線コネクタをコネクタ用開口部３３から離脱させると、図２に示すように、これに連動して割りスリーブ４３と分割フェルール４５が共に矢印Ｂ方向へ移動し、割りスリーブ４３の端部が収納部５１の壁部５３に当接して割りスリーブ４３と分割フェルール４５の移動が規制されると共に、両分割フェルール４５、４７間にギャップ５５が生じることとなる。
【００３７】
而して、斯様に両分割フェルール４５、４７間にギャップ５５が生じると、レーザ光はギャップ５５内で拡散されてしまうため、コネクタ用開口部３３から外部に漏れるレーザ光に光ロスが生じて遮光状態となる。
【００３８】
従って、本実施形態によれば、外線コネクタを光通信モジュール５７から離脱した際に、レーザ光がコネクタ用開口部３３から外部に漏れることなく遮光され、また、仮にレーザ光がコネクタ用開口部３３から漏れても、著しく減衰されたものとなるため安全性に優れた利点を有する。
【００３９】
而も、本実施形態は、特許文献１に開示された従来例と異なり、レセプタクル筐体２７の外周にシャッター等を組み付ける構造でないため、実装上の制約を受けることなく組み付けが可能となる。
【００４０】
そして、本実施形態は、既存の光通信モジュールのフェルールに代え、フェルール４１を外線コネクタにフィジカルコンタクトする第１の分割フェルール４５とこれと軸心を一致させて当接する第２の分割フェルール４７とで構成して、分割フェルール４５を分割フェルール４７に比し大径として割りスリーブ４３内に圧入、保持させるという簡単な構造によって、外線コネクタの離脱時に於けるレーザ光の遮光を確実に図ることができる利点を有する。
【００４１】
図３及び図４は請求項１及び請求項５の一実施形態に係る光通信モジュールのレセプタクル構造を示し、本実施形態は、図１の分割フェルール４５に代え、これを第２の分割フェルール４７と同一径からなる第１の分割フェルール５９として、当該分割フェルール５９と前記分割フェルール４７とでフェルール６１を構成すると共に、分割フェルール５９と割りスリーブ４３とを接着剤６３で固定したものである。
【００４２】
そして、前記実施形態と同様、外線コネクタの接続時に外線コネクタのフェルールが割りスリーブ４３内に圧入されると、図３に示すように、これに連動して割りスリーブ４３とこれに固定された分割フェルール５９が共に内方（図中、矢印Ａ方向）へ移動して、割りスリーブ４３の端部が連結部材２３に当接すると同時に、分割フェルール５９が分割フェルール４７に当接して光ファイバー３が軸ズレなく接合すると共に、外線コネクタのフェルールが分割フェルール４５とフィジカルコンタクトするようになっている。
【００４３】
一方、接続した外線コネクタをコネクタ用開口部３３から離脱させると、図４に示すように、外線コネクタのフェルールによって、割りスリーブ４３と分割フェルール５９が共に外方（図中、矢印Ｂ方向）へ移動し、割りスリーブ４３の端部が収納部５１の壁部５３に当接して割りスリーブ４３と分割フェルール５９の移動が規制されると共に、両分割フェルール５９、４７間にギャップ５５が生じるようになっている。
【００４４】
尚、その他の構成は図１の実施形態と同様であるので、同一のものには同一符号を付してそれらの説明は省略する。
【００４５】
本実施形態に係る光通信モジュール６５はこのように構成されているから、外線コネクタの接続時に、コネクタ用開口部３３から割りスリーブ４３内に外線コネクタのフェルールを圧入すると、図３に示すようにこれに連動して割りスリーブ４３と分割フェルール５９が共に矢印Ａ方向へ移動して、割りスリーブ４３の端部が連結部材２３に当接すると同時に、分割フェルール５９が分割フェルール４７に当接して両分割フェルール５９、４７の光ファイバー３が軸ズレなく接合すると共に、外線コネクタのフェルールが分割フェルール５９とフィジカルコンタクトする。
【００４６】
一方、接続された外線コネクタをコネクタ用開口部３３から離脱させると、図４に示すように、これに連動して割りスリーブ４３と分割フェルール５９が共に矢印Ｂ方向へ移動し、割りスリーブ４３の端部が収納部５１の壁部５３に当接して割りスリーブ４３と分割フェルール５９の移動が規制されると共に、両分割フェルール５９、４７間にギャップ５５が生じることとなる。
【００４７】
而して、斯様に両分割フェルール５９、４７間にギャップ５５が生じると、レーザ光はギャップ５５内で拡散されてしまうため、コネクタ用開口部３３から外部に漏れるレーザ光に光ロスが生じて遮光状態となる。
【００４８】
従って、本実施形態によっても、外線コネクタを光通信モジュール６５から離脱した際に、レーザ光がコネクタ用開口部３３から外部に漏れることなく遮光され、また、仮にレーザ光がコネクタ用開口部３３から漏れても、著しく減衰されたものとなるため安全性に優れた利点を有する。
【００４９】
また、本実施形態も、前記光通信モジュール５７と同様、実装上の制約を受けることなく、既存の光通信モジュールのフェルールに改良を加えるだけの簡単な構造でレーザ光の遮光を確実に図ることができると共に、分割フェルール５９と割りスリーブ４３を接着剤６３で固定したため、常に同一長さのギャップ５５を確保することができ、確実な遮光が図れる利点を有する。
【００５０】
そして、前記ギャップ５５の長さを変更することで、外線側に漏れる光の量を変更することができるため、例えば仕様に応じ前記収納部５１の長さ寸法を調整することで遮光量を変更することができる。
【００５１】
図５及び図６は請求項１乃至請求項３及び請求項６の一実施形態に係る光通信モジュールのレセプタクル構造を示し、図に於て、６７は図１のレセプタクル筐体２７と同様、モジュール本体１７に溶接された筒状のレセプタクル筐体、６９は当該レセプタクル筐体６７と軸心を一致させてモジュール本体１７に溶接した筒状のＺ軸調整パーツ、７１は大径部７３と小径部７５からなる筒状の保持部材で、小径部７５の外周がＺ軸調整パーツ６９の内周に溶接され、大径部７３の外周がレセプタクル筐体６７の内周に溶接されて、保持部材７１がレセプタクル筐体６７と軸心を一致させてＺ軸調整パーツ６９、レセプタクル筐体６７間に取り付けられている。
【００５２】
そして、レセプタクル筐体６７と保持部材７１の内部に、割りスリーブ７７を介してフェルール７９が組み込まれている。
【００５３】
フェルール７９は、外線コネクタのフェルールがフィジカルコンタクトする第１の分割フェルール８１と、これに軸心を一致させて当接する第２の分割フェルール８３とで構成されており、分割フェルール８１は分割フェルール８３に比し大径とされ、両分割フェルール８１、８３の中心に光ファイバー３が挿着されている。
【００５４】
割りスリーブ７７は、第１の分割フェルール８１を保持する第１の分割スリーブ８５と、両分割フェルール８１、８３を保持する第２の分割スリーブ８７とで構成されており、両分割スリーブ８５、８７のスリーブ径は同一とされている。
【００５５】
そして、分割フェルール８３は保持部材７１（小径部７５）の内周に固着されると共に、その先端８９側が分割スリーブ８７の内周に固着され、当該分割スリーブ８７は保持部材７１（大径部７３）の内周に固着されている。
【００５６】
一方、分割フェルール８３に比し大径とされた分割フェルール８１は、第１の分割スリーブ８５内に圧入、保持されると共に、第２の分割スリーブ８７内にその後端９０側が圧入されている。そして、レセプタクル筐体６７の内周には、割りスリーブ８５よりも長尺な収納部９１が保持部材７１（大径部７３）の内周と面一に設けられており、分割スリーブ８５は、分割フェルール８１と共に収納部９１内を矢印Ａ、Ｂ方向に移動可能とされている。
【００５７】
そして、分割スリーブ８５内に外線コネクタのフェルールが圧入されるようになっており、斯様に外線コネクタのフェルールが分割スリーブ８５内に圧入されると、図５に示すように、これに連動して分割スリーブ８５とこれに圧入された分割フェルール８１が共に内方（図中、矢印Ａ方向）へ移動して、分割スリーブ８５の端部が分割スリーブ８７の端部に当接すると同時に、分割フェルール８１が分割フェルール８３に当接して両分割フェルール８１、８３の光ファイバー３が軸ズレなく接合すると共に、外線コネクタのフェルールが分割フェルール８１とフィジカルコンタクトするようになっている。
【００５８】
一方、接続された外線コネクタをレセプタクル筐体６７のコネクタ用開口部９３から離脱させると、図６に示すように、外線コネクタのフェルールによって分割スリーブ８５と分割フェルール８１が共に外方（図中、矢印Ｂ方向）へ移動し、分割スリーブ８５の端部が収納部９１の壁部９５に当接して分割スリーブ８５と分割フェルール８１の移動が規制されると共に、両分割フェルール８１、８３間にギャップ（間隙）９７が生じるようになっている。
【００５９】
本実施形態に係る光通信モジュール９９はこのように構成されているから、コネクタ用開口部９３から外線コネクタのフェルールが分割スリーブ８５内に圧入されると、図５に示すように、これに連動して分割スリーブ８５と分割フェルール８１が共に矢印Ａ方向へ移動して、分割スリーブ８５の端部が分割スリーブ８７の端部に当接すると同時に、分割フェルール８１が分割フェルール８３に当接して両分割フェルール８１、８３の光ファイバー３が軸ズレなく接合すると共に、外線コネクタのフェルールが分割フェルール８１とフィジカルコンタクトする。
【００６０】
一方、接続された外線コネクタをコネクタ用開口部９３から離脱させると、図６に示すように、外線コネクタのフェルールによって分割スリーブ８５と分割フェルール８１が共に矢印Ｂ方向へ移動した後、分割スリーブ８５の端部が収納部９１の壁部９５に当接して分割スリーブ８５と分割フェルール８１の移動が規制されると共に、両分割フェルール８１、８３間にギャップ９７が生じるため、このギャップ９７内でレーザ光が拡散されて、コネクタ用開口部９３から外部に漏れるレーザ光に光ロスが生じて遮光状態となる。
【００６１】
従って、本実施形態によっても、外線コネクタを光通信モジュール９９から離脱した際に、レーザ光がコネクタ用開口部９３から外部に漏れることなく遮光され、また、仮に漏れても著しく減衰されたものとなるため、安全性に優れた利点を有する。
【００６２】
また、本実施形態も、特許文献１と異なり実装上の制約を受けることがなく、既存の光通信モジュールのフェルールに改良を加えるだけの簡単な構造でレーザ光の遮光を確実に図ることができると共に、分割フェルール８３と分割スリーブ８７を保持部材７１に固着したため、分割フェルール８１と分割スリーブ８５の移動に伴いこれらがズレてしまうことがなく、常にギャップ９７を確保することが可能で確実な遮光が図れる利点を有する。
【００６３】
図７及び図８は請求項１乃至請求項３、請求項５及び請求項６の一実施形態に係る光通信モジュールのレセプタクル構造を示し、本実施形態は、図５の実施形態の構造に加え、分割フェルール８１と分割スリーブ８５を接着剤１０１で固着したものである。
【００６４】
本実施形態に係る光通信モジュール１０３はこのように構成されているから、本実施形態によっても、図５の実施形態と同様、所期の目的を達成することが可能で、外線コネクタを光通信モジュール９９から離脱した際に、レーザ光がコネクタ用開口部９３から外部に漏れることなく遮光され、また、仮に漏れても著しく減衰されたものとなるため、安全性に優れた利点を有する。
【００６５】
そして、本実施形態は、分割フェルール８１と分割スリーブ８５を接着剤１０１で固着したため、図５の光通信モジュール９９に比しより確実且つ正確な長さを以ってギャップ９７を確保することができる利点を有する。
【００６６】
図９及び図１０は請求項１、請求項２及び請求項４の一実施形態に係る光通信モジュールのレセプタクル構造を示し、本実施形態は、図５の第１の分割フェルール８１に代え、前記分割フェルール８３と、これと同一径からなる第１の分割フェルール１０５とでフェルール１０７を構成すると共に、図５の第１の分割スリーブ８５に代え、前記分割スリーブ８７と、これよりスリーブ径が小さく引き抜き強度の大きい第１の分割スリーブ１０９とで割りスリーブ１１１を形成したもので、分割スリーブ１０９内に分割フェルール１０５が圧入、保持されている。
【００６７】
そして、分割フェルール８３は保持部材７１の小径部７５の内周及び分割スリーブ８７内に圧入、保持され、当該分割スリーブ８７は保持部材７１の内周に圧入されている。
【００６８】
尚、その他の構成は図５の実施形態と同様であるので、同一のものには同一符号を付してそれらの説明は省略する。
【００６９】
本実施形態に係る光通信モジュール１１３はこのように構成されているから、外線コネクタのフェルールが分割スリーブ１０９内に圧入されると、図９に示すように、これに連動して分割スリーブ１０９とこれに圧入された分割フェルール１０５が共に矢印Ａ方向へ移動して、分割スリーブ１０９の端部が分割スリーブ８７の端部に当接すると同時に、分割フェルール１０５が分割フェルール８３に当接して両分割フェルール１０５、８３の光ファイバー３が軸ズレなく接合し、外線コネクタのフェルールが分割フェルール１０５とフィジカルコンタクトする。
【００７０】
一方、接続された外線コネクタをコネクタ用開口部９３から離脱させると、図１０に示すように、分割スリーブ８７に比し引き抜き強度の大きい分割スリーブ１０９は、分割フェルール１０５を保持したまま外線コネクタのフェルールによって矢印Ｂ方向へ移動する。
【００７１】
そして、分割スリーブ１０９の端部が収納部９１の壁部９５に当接して分割スリーブ１０９と分割フェルール１０５の移動が規制されると、両分割フェルール１０５、８３間にギャップ９７が生じ、このギャップ９７内でレーザ光が拡散されて、コネクタ用開口部９３から外部に漏れるレーザ光に光ロスが生じて遮光状態となる。
【００７２】
従って、本実施形態によっても、既述した各実施形態と同様、所期の目的を達成することが可能で、外線コネクタを光通信モジュール１１３から離脱した際に、レーザ光がコネクタ用開口部９３から外部に漏れることなく遮光され、また、仮に漏れても著しく減衰されたものとなるため、安全性に優れた利点を有する。
【００７３】
また、本実施形態も、既存の光通信モジュールのフェルールに代え、フェルール１０７を第１の分割フェルール１０５と第２の分割フェルール８３とで構成すると共に、割りスリーブ１１１を第２の分割スリーブ８７とこれよりスリーブ径が小さく引き抜き強度の大きい第１の分割スリーブ１０９とで構成した簡単な構造によって、外線コネクタの離脱時に於けるレーザ光の遮光を確実に図ることができる利点を有する。
【００７４】
図１１乃至図１４は請求項１、請求項３、請求項７及び請求項９の一実施形態に係る光通信モジュールのレセプタクル構造を示し、本実施形態は、図１の第１、第２の分割フェルール４５、４７からなるフェルール４１に代え、フェルール４１-1を、図１３に示すように割りスリーブ４３内に圧入、保持される第１の分割フェルール４５-1を断面略凸レンズ形状に形成して、その両端部４５-1ａを凸状の球面形状とすると共に、これと軸心を一致させて当接する第２の分割フェルール４７-1の端部４７-1ａを凸状の球面形状として、両分割フェルール４５-1、４７-1間に、屈折率の測定の際に使用する従来周知のマッチングオイル（屈折率整合油、屈折率整合液）１１５を充填したもので、本実施形態のマッチングオイル１１５はゲル状の特性を有している。
【００７５】
而して、斯様に両分割フェルール４５-1、４７-1の端部４５-1ａ、４７-1ａを凸状の球面形状としたのは、端部４５-1ａ、４７-1ａを当接させて光ファイバー３を軸ズレなく良好に接合させると共に、当接した両分割フェルール４５-1、４７-1間に所定量のマッチングオイル１１５を確保し充填するためである。
【００７６】
尚、その他の構成は図１の実施形態と同様であるので、同一のものには同一符号を付してそれらの説明は省略する。
【００７７】
本実施形態に係る光通信モジュール１１７はこのように構成されているから、外線コネクタの接続時に、コネクタ用開口部３３から割りスリーブ４３内に外線コネクタのフェルールをテンションをかけて圧入すると、図１１及び図１３に示すようにこれに連動して割りスリーブ４３と分割フェルール４５-1が共に矢印Ａ方向へ移動して、割りスリーブ４３の端部が連結部材２３に当接すると同時に、分割フェルール４５-1の端部４５-1ａが分割フェルール４７の端部４７-1ａに当接して、両分割フェルール４５-1、４７-1の光ファイバー３が軸ズレなく接合すると共に、外線コネクタのフェルールが分割フェルール４５-1の端部４５-1ａとフィジカルコンタクトする。
【００７８】
一方、接続された外線コネクタをコネクタ用開口部３３から離脱させると、図１２に示すように、これに連動して割りスリーブ４３と分割フェルール４５-1が共に矢印Ｂ方向へ移動し、割りスリーブ４３の端部が収納部５１の壁部５３に当接して割りスリーブ４３と分割フェルール４５-1の移動が規制されると共に、両分割フェルール４５-1、４７-1間にギャップ５５が生じる。
【００７９】
而して、斯様に両分割フェルール４５-1、４７-1間にギャップ５５が生じると、図１４に示すように両分割フェルール４５-1、４７-1間に充填されていたゲル状のマッチングオイル１１５が分離して、夫々の端部４５-1ａ、４７-1ａに不規則に形状が変化して付着するため、レーザ光はギャップ５５内で拡散されると共に、両端部４５-1ａ、４７-1ａに付着したマッチングオイル１１５により更に拡散されて、コネクタ用開口部３３から外部に漏れるレーザ光に光ロスが生じて遮光状態となる。
【００８０】
このように本実施形態は、外線コネクタを光通信モジュール１１７から離脱した際に、両分割フェルール４５-1、４７-1間に生ずるギャップ５５と、夫々の端部４５-1ａ、４７-1ａに不規則に付着したマッチングオイル１１５によってレーザ光が拡散されるため、図１の実施形態に比しより確実にレーザ光の遮光が図れる。
【００８１】
また、本実施形態も、既述した各実施形態と同様、実装上の制約を受けることなく組み付けが可能となる。
【００８２】
そして、両分割フェルール４５-1、４７-1の端部４５-1ａ、４７-1ａを凸状の球面形状とした結果、端部４５-1ａ、４７-1ａを当接させて光ファイバー３を軸ズレなく良好に接合させ乍ら、当接した両分割フェルール４５-1、４７-1間に所定量のマッチングオイル１１５を充填することが可能である。
【００８３】
図１５及び図１６は請求項１、請求項３、請求項７乃至請求項９の一実施形態に係る光通信モジュールのスリーブと分割フェルールを示し、本実施形態は、図１１乃至図１４の割りスリーブ４３に代え、これを精密スリーブ４３-1にすると共に、分割フェルール４５-1、分割フェルール４７-1間の精密スリーブ４３-1に空気穴１１９を設けることで、外線コネクタの接続時に両端部４５-1ａ、４７-1ａの確実な接合を可能にすると同時に、外線コネクタの離脱時にマッチングオイル１１５が端部４５-1ａ、４７-1ａに確実に付着するようにしたものである。そして、精密スリーブ４３-1の内周側の空気穴１１９の開口部には、漏斗状のオイル溜まり１２１を設けて、両分割フェルール４５-1、４７-1の接合時に、余分なマッチングオイル１１５がこのオイル溜まり１２１に溜まるようになっている。
【００８４】
本実施形態はこのように構成されており、本実施形態によっても、図１１の実施形態と同様、所期の目的を達成することが可能である。
【００８５】
図１７及び図１８は請求項１、請求項３、請求項７及び請求項１０の一実施形態に係る光通信モジュールに使用する分割フェルールを示し、本実施形態は、図１３のゲル状のマッチングオイル１１５に代え、ゾル状のマッチングオイルを図１の第１、第２の分割フェルール４５、４７間に充填する際に、前記分割フェルール４７に代え、分割フェルール４５の端部が当接する分割フェルール４７-2の端部４７-2ａを、外線コネクタの離脱時に、端部４７-2ａに付着したマッチングオイルを偏心させる偏心形状としたもので、図１８に示すように本実施形態では、一例として分割フェルール４７-2の端部４７-2ａの周囲を削って、当該端部４７-2ａに平面視涙目形状の凸部１２３を設けている。
【００８６】
而して、斯かる構造によれば、外線コネクタの離脱時に、ゾル状のマッチングオイルが表面張力によって凸部１２３上で偏心して付着するため、端部４７-2ａにマッチングオイルが表面張力によってレンズ状に付着せず、この結果、レーザ光がギャップ内で集光されることなくその遮光を図ることができる利点を有する。
【００８７】
尚、本実施形態では、分割フェルール４７-2の端部４７-2ａに前記凸部１２３を設けたが、分割フェルール４５の端部に凸部１２３を設けてもよいし、双方に凸部１２３を設けてもよい。
【００８８】
そして、マッチングオイルを偏心させる偏心形状は、前記凸部１２３の形状に限定されるものでないことは勿論である。
【符号の説明】
【００８９】
３  光ファイバー
９  ＬＤ−ＣＡＮ
１５  ＰＤ−ＣＡＮ
１７  モジュール本体
２３  連結部材
２５、６９  Ｚ軸調整パーツ
２７、６７  レセプタクル筐体
３３、９３  コネクタ用開口部
４１、４１-1、６１、７９、１０７  フェルール
４３、７７、１１１  割りスリーブ
４３-1  精密スリーブ
４５、４５-1、５９、８１、８３、１０５  第１の分割フェルール
４７、４７-1、４７-2  第２の分割フェルール
５１、９１  収納部
５５、９７  ギャップ（間隙）
５７、６５、９９、１０３、１１３、１１７  光通信モジュール
６３、１０１  接着剤
７１  保持部材
８５、１０９  第１の分割スリーブ
８７  第２の分割スリーブ
１１５  マッチングオイル
１１９  空気穴
１２１  オイル溜まり
１２３  凸部
【図１】
2011237565.tif 000003
【図２】
2011237565.tif 000004
【図３】
2011237565.tif 000005
【図４】
2011237565.tif 000006
【図５】
2011237565.tif 000007
【図６】
2011237565.tif 000008
【図７】
2011237565.tif 000009
【図８】
2011237565.tif 000010
【図９】
2011237565.tif 000011
【図１０】
2011237565.tif 000012
【図１１】
2011237565.tif 000013
【図１２】
2011237565.tif 000014
【図１３】
2011237565.tif 000015
【図１４】
2011237565.tif 000016
【図１５】
2011237565.tif 000017
【図１６】
2011237565.tif 000018
【図１７】
2011237565.tif 000019
【図１８】
2011237565.tif 000020
【図１９】
2011237565.tif 000021